(57)【要約】      （修正有）【課題】タッチ表示パネルの辺縁である非可視領域全体の色彩表示を比較的調和、整合させる。【解決手段】タッチ表示装置１は、透明基板１１、第１インク層１２、遮光層１４、装飾層１３を含む。透明基板は、可視領域と非可視領域を有する。非可視領域は、可視領域の辺縁に位置する。第１インク層は、透明基板の非可視領域上に配置されている。遮光層は、第１インク層上に配置されている。装飾層は、第１インク層の一部の上に配置され、第１インク層と遮光層との間に位置している。第１インク層の光学密度は、０．３と０．６７との間である。【選択図】図１Ｂ
2016021238.tif 000002
【特許請求の範囲】
【請求項１】
可視領域と非可視領域を有し、前記非可視領域が前記可視領域の辺縁に位置する透明基板と、
前記透明基板の前記非可視領域上に配置された第１インク層と、
前記第１インク層上に配置された遮光層と、
前記第１インク層の一部の上に配置され、前記第１インク層と前記遮光層との間に位置する装飾層と、
を備え、
前記第１インク層の光学密度は、０．３と０．６７との間である、
タッチ表示装置。
【請求項２】
前記装飾層は、ロゴ、ファンクションボタンアイコン、パターンを形成する、
請求項１に記載のタッチ表示装置。
【請求項３】
前記第１インク層の厚さは、５μｍと１４μｍの間である、
請求項１又は２に記載のタッチ表示装置。
【請求項４】
前記第１インク層上に配置され、前記第１インク層と前記遮光層との間に位置する第２インク層をさらに備える、
請求項１、２又は３に記載のタッチ表示装置。
【請求項５】
前記第２インク層は、前記装飾層にさらに覆われている、
請求項４に記載のタッチ表示装置。
【請求項６】
前記装飾層を有する前記非可視領域の区域と前記装飾層を有しない前記非可視領域の区域との色の許容差は、１．３から１２の間である、
請求項１〜５のいずれか１項に記載のタッチ表示装置。
【請求項７】
前記遮光層は、黒色インク、黒色フォトレジスト、又はこれらの組み合わせである、
請求項１〜６のいずれか１項に記載のタッチ表示装置。
【請求項８】
前記第１インク層は、白色インクである、
請求項１〜７のいずれか１項に記載のタッチ表示装置。
【発明の詳細な説明】
【技術分野】
【０００１】
本開示は、タッチ表示装置に関する。
【背景技術】
【０００２】
技術が進歩するに伴い、携帯電話、タブレットコンピュータ、ウルトラブック、衛星ナビゲーション機器等の様々なデジタル機器が考案されてきている。キーボード又はマウスを用いた一般的な入力又は操作に加えて、タッチ技術を利用したデジタル機器の操作は、非常に便利で人気のある操作方法である。タッチ表示パネルは、入力操作のための人間らしく直観的なインターフェースであり、あらゆる年齢層のユーザは、指やスタイラスでデジタル機器を直接選択又は操作することができる。このため、タッチ入力は、市場において人気が高まりつつある。
【０００３】
タッチ表示装置は、可視領域と、当該可視領域の外側の非可視領域を含む。非可視領域は、一般的に辺縁として知られている。タッチ表示パネル内の不透明な電子部品を隠すために非可視領域上にはインク層が設けられており、タッチ表示パネルは比較的、審美的である。現在、タッチ表示パネルの辺縁は主に黒色インクを含み、ファンクションボタンやロゴ又は他のアイコンとして、他の色のインク（例えば、白又はシルバー）のインクで満たすために、いくつかのくぼみ領域がインクの形成時に確保されている。しかしながら、白色は大衆に愛されるシンプルで純粋な品質を有しているため、タッチ表示パネルの辺縁は白で設計されているものもある。
【発明の概要】
【発明が解決しようとする課題】
【０００４】
しかしながら、明るい色のインク（白等）が辺縁のメインカラーとして用いられた場合、暗い色のインク（黒等）が一般的にファンクションボタンやロゴ又は他のアイコンとして用いられる。この２つの色は、それらの大きな差異のため強いコントラストを形成し、視覚的に洗練されていない。
【課題を解決するための手段】
【０００５】
本開示に係るタッチ表示装置は、透明基板、第１インク層、遮光層、装飾層を含む。前記透明基板は、可視領域と非可視領域を有する。前記非可視領域は、前記可視領域の辺縁に位置する。前記第１インク層は、前記透明基板の前記非可視領域上に配置されている。前記遮光層は、前記第１インク層上に配置されている。前記装飾層は、前記第１インク層の一部の上に配置され、前記第１インク層と前記遮光層との間に位置している。前記第１インク層の光学密度は、０．３と０．６７との間である。
【０００６】
実施の形態においては、前記装飾層は、ロゴ、ファンクションボタンアイコン、パターンを形成する。
【０００７】
実施の形態においては、前記第１インク層の厚さは、５μｍと１４μｍの間である。
【０００８】
実施の形態においては、タッチパネル表示装置は、前記第１インク層上に配置され、前記第１インク層と前記遮光層との間に位置する第２インク層をさらに備える。
【０００９】
実施の形態においては、前記第２インク層は、前記装飾層にさらに覆われている。
【００１０】
実施の形態においては、前記装飾層を有する前記非可視領域の区域と前記装飾層を有しない前記非可視省域の区域との色の許容差は、１．３から１２の間である。
【００１１】
実施の形態においては、前記遮光層は、黒色インク、黒色フォトレジスト、又はこれらの組み合わせである。
【００１２】
実施の形態において、前記透明基板は、ガラス基板、プラスチック基板、サファイア基板、又は偏光板である。
【００１３】
実施の形態において、前記第１インク層は白色インクである。
【発明の効果】
【００１４】
上述したように、本開示に係るタッチ表示装置について、第１インク層の光学密度を設計することによって、非可視領域上の装飾層の色を、第１インク層を介して比較的に優しく見せ、非可視領域全体の色彩表示を比較的調和、整合させる。
【図面の簡単な説明】
【００１５】
本開示は、詳細な説明及び添付図面から、より完全に理解される。これらは説明のためのみに用いられ、本開示を限定するものではない。
【図１Ａ】本開示の実施の形態に係るタッチ表示装置の正面図である。
【図１Ｂ】図１ＡのＡ−Ａ線に沿った断面図である。
【図２Ａ】本開示の実施の形態に係るタッチ表示装置の断面図である。
【図２Ｂ】本開示の実施の形態に係るタッチ表示装置の他の態様の断面図である。
【発明を実施するための形態】
【００１６】
本開示は、添付図面を参照して進められる以下の詳細な説明から明らかになるであろう。同一の符号は同一の構成要素に関連する。
【００１７】
図１Ａは、本開示の実施の形態に係るタッチ表示装置の正面図である。図１Ｂは、図１ＡのＡ−Ａ線に沿った断面図である。図１Ａ、１Ｂを参照すると、実施の形態において、タッチ表示装置１は、例えば、スマートフォン、タブレットコンピュータ、又はウェアラブルデバイスであるが、これらに限定されない。実施の形態では、タッチ表示装置１は、透明基板１１、第１インク層１２、装飾層１３、遮光層１４を含む。
【００１８】
透明基板１１は、非可視領域１１１、可視領域１１２を含む。透明基板１１は、ガラス基板、プラスチック基板、サファイア基板、又は偏光板である。実施の形態においては、例えばガラス基板であるが、これに限定されない。可視領域１１２は、タッチ表示装置１の表示領域であり、すなわち、タッチ表示装置１の画面である。非可視領域１１１は、可視領域１１２の辺縁に位置している。すなわち、非可視領域１１１は、可視領域１１２の少なくとも一つの側に位置している。配線、回路基板、又は他の電子部品を覆うために、多層の遮蔽構造が非可視領域１１１上に設けられており、審美的機能を有している。ここで、第１インク層１２、装飾層１３、及び遮光層１４は、遮蔽構造の役割を果たす。
【００１９】
第１インク層１２は、透明基板１１の非可視領域１１１上に配置されている。遮光層１４は、第１インク層１２上に配置されている。装飾層１３は、第１インク層１２の一部の上に配置され、第１インク層１２と遮光層１４の間に位置する。実施の形態では、第１インク層１２は、ロゴ、ファンクションボタンアイコン、又はパターンを形成する（不図示）。例えば、ロゴは、図１Ａに示される区域Ｌに提示され、通常、製品ブランドのロゴである。ファンクションボタンアイコンは、例えば、図１Ａに示される区域Ｉ１、区域Ｉ２、区域Ｉ３によって提示され、例えば、バックボタンやホームボタンである。パターンは、例えば、非可視領域１１１にデザインされるストライプ、格子、他のパターンである。
【００２０】
さらに、第１インク層１２の光学密度（ＯＤ）は、０．３から０．６７の間である。低い光学密度の特性（すなわち、高い光透過率）のため、装飾層１３の色は第１インク層１２を介して露呈される。例えば、第１インク層１２が白であり、装飾層１３が赤である。上述の光学密度の設計により、ユーザは装飾層１３が実質的に赤であると視認できるが、装飾層１３は白色インクを通ってピンクに見える。装飾層１３により形成された、ロゴ、ファンクションボタンアイコン、パターン又は他の領域の色は、比較的優しく、非可視領域１１１の全体の色彩表示が比較的調和、整合される。好ましくは、装飾層１３を有する非可視領域１１１の区域と、装飾層１３を有しない非可視領域１１１の区域の色の許容差は、１．３から１２の間である。
【００２１】
第１インク層の光学密度は比較的低いため、光は容易にそれを通過し、ユーザは、タッチ表示装置１内の配線や、回路基板、又は他の電子部品を視認できる。このため、遮光層１４は、比較的高い光学密度の材料を用いる。ここで、遮光層１４は、インク、フォトレジスト又はこれらの組み合わせを含み、例えば、黒色インク、黒色フォトレジスト、又は黒色インクと黒色マトリックスフォトレジストの重ね合わせであり、上述の部品が効果的に遮蔽される。
【００２２】
製造プロセスにおいては、第１インク層１２は、まず透明基板１１の非可視領域１１１の全てを実質的に覆うように形成される。形成方法は、例えば、コーティング、印刷、スパッタリングなどであるが、これらに限定されない。さらに、第１インク層１２の光学密度の範囲に応じて、第１インク層１２の色又は厚さは調整可能である。例えば、第１インク層１２の色を白、黄色又は他の明るい色に調整するか、又は第１インク層１２の厚さを５μｍから１４μｍに設定することで、第１インク層１２の光学密度を上記の範囲に制御することができる。
【００２３】
その後、装飾層１３が、第１インク層１２の一部上に形成される。装飾層１３は、例えば、マスク印刷によって形成される。マスクが第１インク層１２上に形成され、そして、インクがマスクの開口部に印刷され、ロゴ、ファンクションボタンアイコン、パターン、他のグラフィックが形成される。装飾層１３の形状は、開口部の形状によって決まる。
【００２４】
最後に、第１インク層１２、装飾層１３が形成された上述の透明基板１１の非可視領域１１１は、遮光層１４により覆われる。好ましくは、遮光層１４は、非可視領域１１１の全領域を覆う。ここで、透明基板１１は、以降のプロセス、例えば、タッチ導電層の形成、フレキシブル回路基板の接続、表示モジュールの取付が進められる。
【００２５】
なお、第１インク層１２は、例えば白のインクであり、厚さが５μｍよりも薄い場合、ピンホール等の印刷の問題に陥りやすい。また、光学密度が低く、光透過率が比較的高いため、装飾層１３の色が比較的鮮やかであり、非可視領域全体の色は上述のように調和、整合されない。一方、厚さが１４μｍよりも厚い場合、第１インク層１２の光学密度が高く、光透過率が比較的低いため、装飾層１３は、第１インク層１２により遮光され、装飾層１３の色が視認されない。
【００２６】
図２Ａは、本開示の実施の形態に係るタッチ表示装置２の断面図である。図２Ａを参照すると、タッチ表示装置２は、大部分はタッチ表示装置１と同一であり、透明基板２１、第１インク層２２、装飾層２３、遮光層２４を含む。これらの説明は、図１Ａ、１Ｂの説明が参照される。本実施の形態において、タッチ表示装置２は、さらに第１インク層２２上に配置され、第１インク層２２と遮光層２４との間に位置する第２インク層２５を備える。
【００２７】
本実施の形態において、第２インク層２５と装飾層２３とは同じ平面上に位置し、第２インク層２５と装飾層２３の厚さは実質的に同一である。第２インク層２５の特性は、非可視領域（図１Ａに示される非可視領域１１１参照）の光学密度を高める。第２インク層２５の色と第１インク層２２の色とが同一（白等）である場合、第１インク層２２の色濃度が高くなる。
【００２８】
製造プロセスにおいて、第１インク層２２が形成された後に、まず第２インク層２５が第１インク層２２上に形成される。ここで、装飾層２３のグラフィックを形成する指定区域がマスクにより覆われ、第２インク層２５が非可視領域の残りの領域に印刷又はコーティングされる。そして、装飾層２３が第２インク層２５を有しない第１インク層２２の第１インク層２２の一部の上に形成される。すなわち、装飾層２３は、第２インク層２５のくぼんだグラフィック区域上に形成され、ロゴ、ファンクションボタンアイコン、又はパターンを形成する。なお、装飾層２３と第２インク層２５の形成順は逆であってもよい。例えば、最初に、装飾層２３が、ロゴ、ファンクションボタンアイコン、又はパターンのマスクによって、マスクの開口部に形成される。そして、第２インク層２５が、装飾層２３を有しない第１インク層２２の一部上に形成される。実施の形態のタッチ表示装置２の製造は比較的複雑であり、タッチ表示装置２の全体の厚さはわずかに増加するが、第２インク層２５は第１インク層２２の光学密度を高め、電子部品を実際に遮蔽する。
【００２９】
図２は、本開示の実施の形態にかかる他の態様の断面図である。図２Ｂを参照すると、当該態様において、タッチ表示装置２ａの第２インク層２５ａは、さらに装飾層２３を覆う。すなわち、第２インク層２５ａは、非可視領域（図１Ａに示される非可視領域１１１参照）の全領域上に形成される。製造プロセスにおいて、第２インク層２５ａは、第１インク層２２と装飾層２３上に、マスクなしで印刷又はコーティングされる。従って、許容差を低減するように位置合わせをする必要がないので、製造は比較的簡単で便利である。
【００３０】
さらに、装飾層２３の色彩表示は、第１インク層２２の色及び厚さのみに影響される。すなわち、装飾層２３の色は、第２インク層２５の色及び厚さに影響を受ける可能性が低い。すなわち、装飾層２３の色彩表示は、インクの色及び透明基板２１と装飾層２３の間のインクの色及び厚さによって決定される。
【００３１】
従って、本開示に係る達と表示装置によれば、第１インク層の光学密度を設計することにより、非可視領域上の装飾層の色を、第１インク層を介して比較的優しく見せ、非可視領域全体の色彩表示を比較的調和、整合させる。
【００３２】
本開示は特定の実施の形態を参照して説明されたが、この説明は、限定する意味で解釈されることを意図していない。代替的な実施の形態だけでなく、開示された実施の形態の様々な改良が当業者にとって明らかである。このため、添付の特許請求の範囲が、本開示の真の範囲内のすべての改良をカバーする。
【００３３】
本願は、出願番号が２０１４１０３３５９５９．０であって、出願日が２０１４年７月１５日である中国特許出願に基づき優先権を主張し、当該中国特許出願のすべての内容を本願に援用する。
【図１Ａ】
2016021238.tif 000003
【図１Ｂ】
2016021238.tif 000004
【図２Ａ】
2016021238.tif 000005
【図２Ｂ】
2016021238.tif 000006